(57)【要約】      （修正有）【課題】トースター内のヒーターを選択的に作動させるためのボタンを有し、トースター内のヒーターとマグネトロンが同時に動作することを防止する、トースターを備えた電子レンジ及びその制御方法を提供する。【解決手段】トースター内のヒーター２３，２４，２５を選択的に作動させるため、ヒーターに対応する複数のボタン１２ａ，１２ｂを設け、ボタンの操作により対応ヒーターを作動させることで、ヒーターによる無駄な電力消費を最小化する。【選択図】図３
2004170059.tif 000002
【特許請求の範囲】
【請求項１】
トースターを備えた電子レンジにおいて、
パンを収容する多数の調理チャンバーと、
対応調理チャンバーに収容されたパンを加熱する多数のヒーターと、
前記ヒーターの中の対応ヒーターへの電源供給を制御する多数のスイッチ部と、
前記スイッチ部を選択的に作動させるためのキー命令を受けるキー入力部と、
前記キー命令に応じて対応スイッチ部を制御する制御部と
を含んでなることを特徴とするトースターを備えた電子レンジ。
【請求項２】
前記キー入力部が多数のボタンを含むことを特徴とする請求項１に記載のトースターを備えた電子レンジ。
【請求項３】
前記電子レンジはマグネトロンをさらに含み、前記制御部は、一つ以上のヒーターが動作している間には前記マグネトロンの作動を中止させ、前記マグネトロンが動作している間には前記一つ以上のヒーターの作動を中止させることを特徴とする請求項１に記載のトースターを備えた電子レンジ。
【請求項４】
前記電子レンジは壁掛け型電子レンジであることを特徴とする請求項３に記載のトースターを備えた電子レンジ。
【請求項５】
前記多数のスイッチ部は各調理チャンバーに対する一つ以上のヒーターへの電源供給をスイッチングするリレースイッチであることを特徴とする請求項１に記載のトースターを備えた電子レンジ。
【請求項６】
トースターを備えた電子レンジの制御方法において、
トースターを作動させるためのキー命令が入力されるかを判断する段階と、
前記キー命令が入力されると、マグネトロンが作動しているかを判断する段階と、
前記マグネトロンが作動していると、前記トースターの作動を遅延させる段階と、
前記マグネトロンが作動していないと、前記トースターを作動させる段階と
を含んでなることを特徴とするトースターを備えた電子レンジの制御方法。
【請求項７】
前記電子レンジは壁掛け型電子レンジであることを特徴とする請求項６に記載のトースターを備えた電子レンジの制御方法。
【請求項８】
トースターを備えた電子レンジにおいて、
トースター用の多数の調理チャンバーと、
対応調理チャンバーに隣接して配置され対応調理チャンバーを加熱する多数のヒーターと、
前記ヒーターを作動させるための多数の入力キーと、
対応ヒーターを選択的に作動させるため、対応ヒーターと電源の連結をスイッチングする多数のスイッチ部と、
前記入力キーの入力信号に応じて前記スイッチ部を制御する制御部と
を含んでなることを特徴とするトースターを備えた電子レンジ。
【請求項９】
トースターを備えた電子レンジにおいて、
入力部と、
飲食物をトーストするための二つ以上の調理チャンバーと、
対応調理チャンバー内の飲食物を加熱する一つ以上のヒーターと、
前記入力部から受けた命令に応じて一つ以上の選択された調理チャンバー内の飲食物を加熱するため、一つ以上のヒーターを制御する制御部と
を含んでなることを特徴とするトースターを備えた電子レンジ。
【請求項１０】
前記入力部は多数のボタンを含むことを特徴とする請求項９に記載のトースターを備えた電子レンジ。
【請求項１１】
前記電子レンジは、
マグネトロンと、
一つ以上のヒーターが作動している間には前記マグネトロンを中止させ、前記マグネトロンが作動している間には前記一つ以上のヒーターを中止させるように、スイッチ部及び前記マグネトロンを制御する制御部と
をさらに含むことを特徴とする請求項９に記載のトースターを備えた電子レンジ。
【請求項１２】
前記電子レンジは、
マグネトロンと、
前記マグネトロンと前記一つ以上のヒーターの同時作動を防止するため、スイッチ部及び前記マグネトロンを制御する制御部と
をさらに含むことを特徴とする請求項９に記載のトースターを備えた電子レンジ。
【請求項１３】
前記電子レンジは壁掛け型電子レンジであることを特徴とする請求項９に記載のトースターを備えた電子レンジ。
【請求項１４】
前記一つ以上のヒーターは、飲食物の両側面を同時に加熱するため、各調理チャンバーの両側面に隣接して位置することを特徴とする請求項９に記載のトースターを備えた電子レンジ。
【請求項１５】
前記多数のボタンの中の少なくとも一つのボタンは前記調理チャンバーのいずれか一つを加熱することに対応し、前記多数のボタンの中の他の一つのボタンは前記調理チャンバーの全てを加熱することに対応することを特徴とする請求項１０に記載のトースターを備えた電子レンジ。
【請求項１６】
前記電子レンジは、前記トースターの過熱を防止するため、スイッチ部への電源供給を遮断するサーマルカットオフをさらに含むことを特徴とする請求項９に記載のトースターを備えた電子レンジ。
【請求項１７】
スイッチ部は一つ以上のリレースイッチを含むことを特徴とする請求項９に記載のトースターを備えた電子レンジ。
【請求項１８】
前記スイッチ部は一つ以上のリレースイッチを含むことを特徴とする請求項１６に記載のトースターを備えた電子レンジ。
【請求項１９】
前記一つ以上のリレースイッチは第１及び第２リレースイッチを含み、互いに並列で連結された前記第１及び第２リレースイッチの第１端部は前記サーマルカットオフの一端部に連結され、
前記一つ以上のヒーターは、第１ヒーター、第２ヒーター及び第３ヒーターを含み、互いに並列で連結された前記第１及び第２ヒーターは前記第１リレースイッチの第２端部に連結され、前記第３ヒーターは前記第２リレースイッチの第２端部に連結されることを特徴とする請求項１８に記載のトースターを備えた電子レンジ。
【請求項２０】
前記一つ以上のリレースイッチは、前記調理チャンバーの中の一つ以上の調理チャンバーに対応する一つ以上のヒーターに電源を供給するように電源を選択的にスイッチさせることを特徴とする請求項１７に記載のトースターを備えた電子レンジ。
【請求項２１】
トースターを備えた電子レンジの制御方法において、
前記トースターを作動させるための命令を入力する段階と、
前記命令が入力されると、マグネトロンが作動しているかを判断する段階と、
前記マグネトロンが作動していると、前記トースターの作動を遅延させる段階と、
前記マグネトロンが作動していないと、前記トースターを作動させる段階と
を含んでなることを特徴とするトースターを備えた電子レンジの制御方法。
【請求項２２】
調理チャンバーを有するトースターを備えた電子レンジの制御方法において、
前記トースターを作動させるための命令を入力する段階と、
前記入力された命令に応じて一つ以上の選択された調理チャンバー内の飲食物を加熱するため、前記トースターの一つ以上のヒーターを制御する段階と
を含んでなることを特徴とするトースターを備えた電子レンジの制御方法。
【請求項２３】
前記命令の入力段階は、キー入力部の第１ボタン及び第２ボタンのいずれか一つを操作することを含み、
前記一つ以上のヒーターを制御する段階は、
前記第１ボタンが操作されると、第１調理チャンバーを加熱するため、第１及び第２ヒーターに電源を供給する段階と、
前記第２ボタンが操作されると、第１及び第２調理チャンバーを加熱するため、第１ヒーター、第２ヒーター及び第３ヒーターに電源を供給する段階と
を含むことを特徴とする請求項２２に記載のトースターを備えた電子レンジの制御方法。
【請求項２４】
前記電源供給段階は所定時間の間に進むことを特徴とする請求項２３に記載のトースターを備えた電子レンジの制御方法。
【請求項２５】
前記制御方法は、
前記命令が入力されると、マグネトロンが作動しているかを確認する段階と、
前記マグネトロンが作動していると、前記トースターの作動を遅延させる段階と、
前記マグネトロンが作動していないと、前記トースターを作動させる段階と
をさらに含むことを特徴とする請求項２２に記載のトースターを備えた電子レンジの制御方法。
【請求項２６】
前記トースターの作動段階は、
前記トースターのオン動作時間をカウントする段階と、
前記カウントされたトースターのオン動作時間が所定時間以上であるかを判断する段階と、
前記カウントされたトースターのオン動作時間が前記所定時間以上であると、前記トースターをオフさせる段階と
を含むことを特徴とする請求項２５に記載のトースターを備えた電子レンジの制御方法。
【請求項２７】
前記制御方法は、マグネトロンと前記一つ以上のヒーターの同時作動を防止する段階をさらに含むことを特徴とする請求項２２に記載のトースターを備えた電子レンジの制御方法。
【請求項２８】
前記電子レンジは壁掛け型電子レンジであることを特徴とする請求項２２に記載のトースターを備えた電子レンジの制御方法。
【請求項２９】
トースターを備えた電子レンジにおいて、
前記トースター内に設けられた二つ以上の調理チャンバーと、
対応調理チャンバーに隣接して配置され前記対応調理チャンバーを加熱する一つ以上のヒーターと、
前記ヒーターを選択的に作動させるための多数の入力キーと、
前記一つ以上のヒーターを選択的に作動させるため、対応ヒーターへの供給を断続する多数のスイッチ部と、
前記入力キーの入力信号に応じて前記スイッチ部を制御する制御部と
を含んでなることを特徴とするトースターを備えた電子レンジ。
【請求項３０】
前記電子レンジは高周波を放射するマグネトロンをさらに含み、前記制御部は、前記対応ヒーターが作動している間には前記マグネトロンを中止させ、前記マグネトロンが作動している間には前記対応ヒーターを中止させるように前記多数のスイッチ部と前記マグネトロンを制御することを特徴とする請求項２９に記載のトースターを備えた電子レンジ。
【請求項３１】
飲食物をトーストするトースターを備えた電子レンジにおいて、
入力部と、
内部の飲食物をトーストするための二つ以上の調理チャンバーと、
対応調理チャンバー内に収容された飲食物を加熱する一つ以上のヒーターと、
前記入力部により受けた命令に応じて、選択された調理チャンバー内の飲食物を選択的に加熱するため、前記一つ以上のヒーターを制御するスイッチ部と
を含んでなることを特徴とするトースターを備えた電子レンジ。
【請求項３２】
飲食物をトーストするためのトースターを備えた電子レンジにおいて、
内部の飲食物をトーストするための多数の調理チャンバーと、
対応調理チャンバー内に収容された飲食物を加熱するための多数のヒーターと、
前記多数のヒーターの中の一つ以上のヒーターへの電源供給をスイッチングするスイッチ部と、
前記スイッチ部を選択的にスイッチングするための命令を受ける入力部と、
前記入力部により受けた前記命令に応じて前記スイッチ部を制御する制御部と
を含んでなることを特徴とするトースターを備えた電子レンジ。
【請求項３３】
飲食物をトーストするためのトースターを備えた電子レンジにおいて、
入力部と、
内部の飲食物をトーストするための多数の調理チャンバーと、
対応調理チャンバーに収容された飲食物を加熱するための第１ヒーター、第２ヒーター及び第３ヒーターと、
前記入力部により受けた命令に応じて、選択された調理チャンバー内の飲食物を選択的に加熱するため、前記第１ヒーター、前記第２ヒーター及び前記第３ヒーターを制御するスイッチ部と
を含んでなることを特徴とするトースターを備えた電子レンジ。
【請求項３４】
飲食物をトーストするための一つ以上のヒーターを含むトースターを備えた電子レンジの制御部において、
電源から前記一つ以上のヒーターに供給される電源をスイッチングするスイッチ部と、
前記スイッチ部を選択的にスイッチングするための命令を受ける入力部と、
前記入力部により受けた前記命令に応じて前記スイッチ部を制御する制御部と
を含んでなることを特徴とするトースターを備えた電子レンジの制御部。
【請求項３５】
内部の飲食物をトーストするための二つ以上の調理チャンバーと前記調理チャンバーに対応するヒーターを含むトースターを備えた電子レンジの制御部において、
入力部と、
前記入力部により受けた命令に応じて、選択された調理チャンバー内の飲食物を選択的に加熱するため、前記対応ヒーターを制御するスイッチ部と
を含んでなることを特徴とするトースターを備えた電子レンジの制御部。
【発明の詳細な説明】
【技術分野】
【０００１】
本発明はトースターを備えた電子レンジ及びその制御方法に係り、より詳しくは多数のヒーターを有するトースターを備えた電子レンジ及びその制御方法に関するものである。
【背景技術】
【０００２】
一般に、電子レンジはマグネトロンから調理室の内部に供給される高周波を用いて飲食物を調理する機器である。
【０００３】
近頃では、パンを焼くためのトースターを一体にした電子レンジが開発されている趨勢にある。
【０００４】
このようなトースターを備えた電子レンジは、韓国公開特許公報第２００２−４５２００号に詳細に開示されている。
【０００５】
前述のようなトースターを備えた電子レンジは、パンを焼く機能をするトースターが電子レンジ本体の内部に組み込まれ、電子レンジの各種作動を制御するボタンが内装された操作パネルにはトースターの作動を制御するためのトースター作動ボタンが設けられる。
【０００６】
このようなトースターは、六面体のトースター本体の内部に、調理すべきパンを収容する二つの調理チャンバーが設けられ、この調理チャンバーの側面には、電気的に制御され、調理チャンバー内に収容されたパンを焼くために発熱するヒーターが設けられる。
【０００７】
トースターの作動は、トースター作動ボタンが押されると、トースターのヒーターに電源が供給できるようにする駆動回路により行われる。このような駆動回路は、トースター作動ボタンが押される前にはそれぞれのヒーターへの電源供給を遮断し、トースター作動ボタンが押されると、それぞれのヒーターに電源を供給するように構成される。
【０００８】
しかし、従来のトースターを備えた電子レンジにおいては、トースター作動ボタンが押されると、多数のヒーターの全てに電源が供給されるため、使用者が個別にパンを焼くことができない。よって、パンを加熱するのに用いられないヒーターにも電源が無駄に供給され、電力が消費される問題点がある。
【０００９】
また、従来のトースターを備えた電子レンジにおいては、トースターとマグネトロンを個別に制御するため、トースター作動ボタンが押されると、マグネトロンにより他の調理が行われていることに関係なくトースターが作動して消費電流を増大させる。このような理由で、消費電流を制限するモデルの壁掛け型電子レンジにこのようなトースターを装着する場合、過電流により家庭内の漏電遮断器が動作して停電などの原因となり得る問題点がある。
【特許文献１】韓国公開特許公報第２００２−４５２００号
【発明の開示】
【発明が解決しようとする課題】
【００１０】
したがって、本発明は前述のような従来の問題点に鑑みてなされたもので、その目的はトースター内のヒーターが選択的に作動できるようにした、トースターを備えた電子レンジ及びその制御方法を提供することにある。
【００１１】
また、本発明の他の目的はトースター内のヒーターを選択的に作動させるためのボタンを有するトースターを備えた電子レンジ及びその制御方法を提供することにある。
【００１２】
また、本発明のさらに他の目的はトースター内のヒーターとマグネトロンが同時に動作することを防止する、トースターを備えた電子レンジ及びその制御方法を提供することにある。
【課題を解決するための手段】
【００１３】
前述のような目的を達成するため、本発明は、トースターを備えた電子レンジにおいて、パンを収容する多数の調理チャンバーと、対応調理チャンバーに収容されたパンを加熱する多数のヒーターと、前記ヒーターの中の対応ヒーターへの電源供給を制御する多数のスイッチ部と、前記スイッチ部を選択的に作動させるためのキー命令を受けるキー入力部と、前記キー命令に応じて対応スイッチ部を制御する制御部とを含んでなるトースターを備えた電子レンジを提供する。
【００１４】
また、本発明は、トースターを備えた電子レンジにおいて、トースター用の多数の調理チャンバーと、対応調理チャンバーに隣接して配置され対応調理チャンバーを加熱する多数のヒーターと、前記ヒーターを作動させるための多数の入力キーと、対応ヒーターを選択的に作動させるため、対応ヒーターと電源の連結をスイッチングする多数のスイッチ部と、前記入力キーの入力信号に応じて前記スイッチ部を制御する制御部とを含んでなるトースターを備えた電子レンジを提供する。
【００１５】
また、本発明は、トースターを備えた電子レンジの制御方法において、トースターを作動させるためのキー命令が入力されるかを判断する段階と、前記キー命令が入力されると、マグネトロンが作動しているかを判断する段階と、前記マグネトロンが作動していると、前記トースターの作動を遅延させる段階と、前記マグネトロンが作動していないと、前記トースターを作動させる段階とを含んでなるトースターを備えた電子レンジの制御方法を提供する。
【発明の効果】
【００１６】
以上説明したように、本発明は、トースター内のヒーターを選択的に作動することにより、ヒーターの無駄な駆動による電力消費を最小限にできる効果がある。
【００１７】
また、本発明は、使用者がトースター内のヒーターを選択的に作動させるための複数のボタンを設けて、使用者の操作便宜性を提供する効果がある。
【００１８】
また、本発明はトースターと電子レンジの同時動作を防止して消費電流を制限するモデルの壁掛け型電子レンジに適用することができる効果がある。
【発明を実施するための最良の形態】
【００１９】
以下、本発明の好ましい実施例を添付図面に基づいて詳細に説明する。
【００２０】
図１は本発明によるトースターを備えた電子レンジの斜視図である。
【００２１】
同図に示すように、電子レンジの一側部に設けられた電装室の前方には、パンを焼く機能をするトースター２０が電子レンジ本体１０の内部に統合して設置され、電子レンジの各種作動を制御するボタンが設けられた操作盤１１には、トースター２０の作動命令を受けるためのキー入力部１２が設けられる。この際、トースター２０は、六面体のトースター本体の内部に、調理すべきパンを収容する第１調理チャンバー２１及び第２調理チャンバー２２が設けられ、各調理チャンバー２１、２２の両側面には、図２に示すように、電気的に制御され発熱する第１ヒーター２３、第２ヒーター２４及び第３ヒーター２５がそれぞれ埋め込まれる。
【００２２】
前記キー入力部１２は、トースター作動ボタンとして、第１ボタン１２ａ及び第２ボタン１２ｂを含む。第１ボタン１２ａは、第１調理チャンバー２１にパンが収容される場合、第１ヒーター及び第２ヒーターを作動させるためのボタンであり、第２ボタン１２ｂは第１調理チャンバー２１及び第２調理チャンバー２２の両方にパンが収容される場合、第１ヒーター２３、第２ヒーター２４及び第３ヒーター２５を作動させるためのボタンである（図２参照）。
【００２３】
図２は図１に示すトースターの概略断面図である。
【００２４】
同図に示すように、トースター２０には第１調理チャンバー２１と第２調理チャンバー２２が並設され、第１調理チャンバー２１の一側面には第１ヒーター２３が配置される。したがって、第１ヒーター２３と第２ヒーター２４により、第１調理チャンバー２１に収容されるパンの両側面が加熱されて焼かれる。第２調理チャンバー２２の他側面には第３ヒーター２５が配設される。したがって、第２ヒーター２４と第３ヒーター２５により、第２調理チャンバー２２に収容されるパンの両側面が加熱されて焼かれる。
【００２５】
次に、図１及び図２に基づき、第１調理チャンバー及び第２調理チャンバーを有するトースターを一体化した電子レンジの駆動回路について説明する。
【００２６】
図３は本発明による第１及び第２調理チャンバーを有するトースターを備えた電子レンジの駆動回路を示す。
【００２７】
同図に示すように、トースター駆動回路１００には、トースターの過熱を防止するためのサーマルカットオフ（ＴＣＯ）が設けられる。サーマルカットオフの一端には並列で連結された第１リレースイッチＲＹ１と第２リレースイッチＲＹ２の第１端部が配置される。第１リレースイッチＲＹ１の第２端部には第１ヒーター２３と第２ヒーター２４が並列で連結される。また、第２リレースイッチＲＹ２の第２端部には第３ヒーター２５が設けられる。
【００２８】
そして、第１リレースイッチＲＹ１と第２リレースイッチＲＹ２は、トースターを一体化した電子レンジの諸般制御を行う制御部３０の制御信号に応じて駆動されるリレー駆動部４０によりオン又はオフされる。この際、制御部３０は、操作盤１１の第１ボタン１２ａ及び第２ボタン１２ｂによるキー命令に応じて対応制御信号を生成してリレー駆動部４０を駆動させる。
【００２９】
第１調理チャンバー２１及び第２調理チャンバー２２を有するトースター２０を備えた電子レンジの駆動回路は、マグネトロンを駆動するための電子レンジの高圧部制御回路２００をさらに含む。電子レンジの高圧部制御回路は、高周波を発振するマグネトロンＭＧＴと、このマグネトロンＭＧＴに、入力交流電源による電圧を昇圧させて所定の電圧値を供給する高圧トランスＨＶＴと、この高圧トランスＨＶＴにより昇圧された電圧を直流高電圧に変換させる高圧コンデンサＨＶＣ及び高圧ダイオードＨＶＤとを含む。高圧トランスＨＶＴの１次コイルの一端と外部電源間にはマグネトロンの作動のため、第３リレースイッチＲＹ３が設けられる。この際、電子レンジの高圧部を制御するための電子レンジの高圧部制御回路２００と、電子レンジに一体化されたトースター２０を駆動するためのトースター駆動回路１００とは並列で連結される。
【００３０】
図４Ａ及び図４Ｂは第１ボタン１２ａと第２ボタン１２ｂを押した場合の第１リレースイッチＲＹ１と第２リレースイッチＲＹ２の駆動状態を示すタイミング図である。
【００３１】
同図に示すように、キー入力部１２の第１ボタン１２ａが押されると、制御部３０は、第１ヒーター２３及び第２ヒーター２４に電源が供給されるよう、リレー駆動部４０を通じて第１リレースイッチＲＹ１をオンさせ、予め設定された時間（Ｔ１）の間に、第１調理チャンバー２１と第２調理チャンバー２２に収容されたパンを全て調理させる。
【００３２】
次に、トースターを消費電流の制限されたモデルの壁掛け型電子レンジに一体化した場合、トースター２０とマグネトロンＭＧＴの同時動作を防止するための方法について説明する。
【００３３】
図５は図３の電子レンジ駆動回路の制御流れ図である。
【００３４】
図５を参照すると、制御部３０は、第１ボタン１２ａによるキー命令があるかを確認するため、第１ボタン１２ａが押されたかを判断する（１００）。
【００３５】
次に、段階１００で第１ボタン１２ａが押されると、制御部３０は、他の調理を行っているかを確認するため、マグネトロンＭＧＴが作動中であるかを判断する（１０１）。段階１０１で、マグネトロンＭＧＴが作動して他の調理を行っていると、制御部３０はマグネトロンＭＧＴが作動している時間（Ｔ０）には第１ヒーター２３及び第２ヒーター２４への電源供給を遮断し、マグネトロンＭＧＴとトースター２０が同時に動作しないように第１リレースイッチＲＹ１をオフさせた後、段階１０１に戻る（１０２）。一方、段階１０１で、マグネトロンＭＧＴが作動していないと、制御部３０は第１ヒーター２３及び第２ヒーター２４に電源を供給してトースター２０を動作させるように第１リレースイッチＲＹ１をオンさせる（１０３）。
【００３６】
そして、制御部３０は第１リレースイッチＲＹ１のオン動作時間をカウントする（１０４）。
【００３７】
次に、制御部３０は、カウントされた第１リレースイッチＲＹ１のオン動作時間と予め設定された時間（Ｔ１）を比較し、カウントされた時間が予め設定された時間（Ｔ１）以上であるかを判断する（１０５）。段階１０５で、カウントされた時間が予め設定された時間（Ｔ１）未満であると、段階１０３に戻る。一方、段階１０５で、カウントされた時間が予め設定された時間（Ｔ１）以上であると、制御部３０はトースター２０の作動を中止させるために第１リレースイッチＲＹ１をオフさせる（１０６）。
【００３８】
段階１００で、第１ボタン１２ａが押されていないと、制御部３０は第２ボタン１２ｂによるキー命令があるかを確認するため、第２ボタン１２ｂが押されたかを判断する（２００）。
【００３９】
次に、段階２００で、第２ボタン１２ｂが押されると、制御部３０は、他の調理を行っているかを確認するため、マグネトロンＭＧＴが作動しているかを判断する（２０１）。段階２０１で、マグネトロンＭＧＴが作動して他の調理を行っていると、制御部３０はマグネトロンＭＧＴが作動している時間（Ｔ０）には第１ヒーター２３、第２ヒーター２４及び第３ヒーター２５への電源供給を遮断し、マグネトロンＭＧＴとトースター２０が同時に動作しないように第１リレースイッチＲＹ１及び第２リレースイッチＲＹ２をオフさせた後、段階２０１に戻る（２０２）。段階２０１で、マグネトロンＭＧＴが作動していないと、制御部３０は第１ヒーター２３、第２ヒーター２４及び第３ヒーター２５に電源を供給し、トースター２０を動作させるように第１リレースイッチＲＹ１及び第２リレースイッチＲＹ２をオンさせる（２０３）。
【００４０】
そして、制御部３０は第１リレースイッチＲＹ１と第２リレースイッチＲＹ２のオン動作時間をカウントする（２０４）。
【００４１】
次に、制御部３０は、カウントされた第１リレースイッチＲＹ１及び第２リレースイッチＲＹ２のオン動作時間と予め設定された時間（Ｔ１）を比較し、カウントされた時間が予め設定された時間（Ｔ１）以上であるかを判断する（２０５）。段階２０５で、カウントされた時間が予め設定された時間（Ｔ１）未満であると、段階２０３に戻る。一方、段階２０５で、カウントされた時間が予め設定された時間（Ｔ１）以上であると、制御部３０はトースター２０の作動を中止させるために第１リレースイッチＲＹ１及び第２リレースイッチＲＹ２をオフさせる（２０６）。
【００４２】
図５の制御流れ図に示すように、消費電流の制限されたモデルの壁掛け型電子レンジにトースターが一体化された場合は、マグネトロンとヒーターが同時に動作しないようにして消費電流を制限することにより、マグネトロンとヒーターの同時動作による過電流により家庭内の漏電遮断器が作動して停電することを防止する。
【図面の簡単な説明】
【００４３】
【図１】本発明によるトースターを備えた電子レンジの斜視図である。
【図２】図１のトースターの概略断面図である。
【図３】本発明による、第１及び第２調理チャンバーを有するトースターを備えた電子レンジの駆動回路図である。
【図４Ａ】図３の第１ボタンを押した場合の、第１リレースイッチＲＹ１及び第２リレースイッチＲＹ２の駆動を示すタイミングチャートである。
【図４Ｂ】図３の第２ボタンを押した場合の、第１リレースイッチＲＹ１及び第２リレースイッチＲＹ２の駆動を示すタイミングチャートである。
【図５】図３の電子レンジ駆動回路の制御流れ図である。
【符号の説明】
【００４４】
１０  電子レンジ本体
１１  操作盤
１２  キー入力部
１２ａ  第１ボタン
１２ｂ  第２ボタン
２０  トースター
２１  第１調理チャンバー
２２  第２調理チャンバー
２３  第１ヒーター
２４  第２ヒーター
２５  第３ヒーター
３０  制御部
【図１】
2004170059.tif 000003
【図２】
2004170059.tif 000004
【図３】
2004170059.tif 000005
【図４Ａ】
2004170059.tif 000006
【図４Ｂ】
2004170059.tif 000007
【図５】
2004170059.tif 000008